(57)【特許請求の範囲】
【請求項１】
表示素子と、
前記表示素子の表示領域に重畳する位置に設けられる複数の駆動電極と、
前記表示領域に重畳する位置に設けられ、各駆動電極との間に静電容量を形成する１または複数のタッチ検出電極と、
前記駆動電極に供給される第１のパルス部分を含む基本駆動信号を生成する駆動信号生成部を含む主駆動部と、
前記駆動信号生成部から供給された前記基本駆動信号を複数の前記駆動電極に供給する駆動電極走査部と、
容量素子を有し、前記第１のパルス部分に同期して前記容量素子と前記駆動電極との間で電荷のやりとりを行う補助駆動部と、
前記表示領域の１辺に沿った方向に延在し、前記主駆動部と前記駆動電極とを接続する第１の配線と、
を備え、
前記主駆動部、前記補助駆動部及び前記第１の配線は、前記表示領域の外側の額縁に重畳する位置に設けられており、
前記主駆動部は、前記複数の駆動電極のうち、一方の最端位置に配置された駆動電極の近傍に配置されるとともに、前記第１の配線の延在方向の一方の端部側に接続され、
前記補助駆動部は、他方の最端位置に配置された駆動電極の近傍であって、前記第１の配線の延在方向の他方の端部側に配置される
表示パネル。
【請求項２】
前記表示素子は、
液晶層と、
前記液晶層と前記駆動電極との間に形成され、もしくは前記駆動電極を挟んで前記液晶
層と対向するように配置された画素電極と
を含み、
前記駆動信号生成部は、前記第１のパルス部分を含む交流駆動信号である前記基本駆動信号と、前記画素電極に対する共通電位を与えるための直流駆動信号とを生成し、
前記駆動電極に前記交流駆動信号が供給されるタッチ検出動作と、前記駆動電極に前記直流駆動信号が供給される表示動作とが時分割で行われる請求項１に記載の表示パネル。
【請求項３】
前記基本駆動信号は、第２のパルス部分を含み、
前記表示動作の期間において、前記主駆動部は前記第２のパルス部分を前記容量素子に供給し、前記容量素子が所定の電圧になるように設定される請求項２に記載の表示パネル。
【請求項４】
前記表示動作の期間において、前記容量素子は、前記第１の配線を介して放電され、所定の電圧になるように設定される請求項２に記載の表示パネル。
【請求項５】
前記基本駆動信号生成部は、所定の電圧レベルの直流信号を生成し、
前記表示動作の期間において、前記主駆動部は、前記主駆動部と前記補助駆動部とを接続する第２の配線を介して、前記直流信号を前記容量素子に供給し、前記容量素子が前記所定の電圧レベルになるように設定される請求項２に記載の表示パネル。
【請求項６】
前記直流信号は、定常的に前記容量素子に供給される請求項５に記載の表示パネル。
【請求項７】
前記補助駆動部は、前記容量素子と前記第１の配線との接続と遮断と切換える第１のスイッチと、前記容量素子と前記第２の配線との接続と遮断と切換える第２のスイッチとを有する請求項５に記載の表示パネル。
【請求項８】
前記第１のスイッチがオン状態の場合に、前記第２のスイッチはオフ状態となり、
前記第１のスイッチがオフ状態の場合に、前記第２のスイッチはオン状態となる請求項７に記載の表示パネル。
【請求項９】
前記容量素子は、前記第１のパルス部分の立ち上がりに対応するタイミングで前記駆動電極に電荷を供給する第１の容量素子と、前記第１のパルス部分の立ち下がりに対応するタイミングで前記駆動電極から電荷を受け取る第２の容量素子とを含む請求項１に記載の表示パネル。
【請求項１０】
表示素子と、
前記表示素子の表示領域に重畳する位置に設けられる複数の駆動電極と、
前記表示領域に重畳する位置に設けられ、各駆動電極との間に静電容量を形成する１または複数のタッチ検出電極と、
前記駆動電極に供給される第１のパルス部分を含む基本駆動信号を生成する駆動信号生成部を含む主駆動部と、
前記駆動信号生成部から供給された前記基本駆動信号を複数の前記駆動電極に供給する駆動電極走査部と、
容量素子を有する補助駆動部と、
前記表示領域の１辺に沿った方向に延在し、前記主駆動部と前記駆動電極とを接続する第１の配線と、
を備え、
前記主駆動部、前記補助駆動部及び前記第１の配線は、前記表示領域の外側の額縁に重畳する位置に設けられており、
前記主駆動部は、前記複数の駆動電極のうち、一方の最端位置に配置された駆動電極の近傍に配置されるとともに、前記第１の配線の延在方向の一方の端部側に接続され、
前記補助駆動部は、他方の最端位置に配置された駆動電極の近傍であって、前記第１の配線の延在方向の他方の端部側に配置される表示パネルの駆動方法であって、
前記主駆動部は、前記駆動電極に前記基本駆動信号の前記第１のパルス部分を供給するとともに、前記補助駆動部は、前記第１のパルス部分に同期して、前記容量素子と前記駆動電極との間で電荷のやりとりを行う表示パネルの駆動方法。
【発明の詳細な説明】
【技術分野】
【０００１】
本開示は、外部近接物体によるタッチを検出する機能を有する表示パネル、そのような表示パネルに用いられる駆動回路および駆動方法、ならびにそのような表示パネルを備えた電子機器に関する。
【背景技術】
【０００２】
近年、いわゆるタッチパネルと呼ばれる接触検出装置を液晶表示パネル等の表示パネル上に装着し、あるいはタッチパネルと表示パネルとを一体化し、その表示パネルに各種のボタン画像等を表示させることにより、通常の機械式ボタンの代わりとして情報入力を可能とした表示パネルが注目されている。このようなタッチ検出機能を有する表示パネルは、キーボードやマウス、キーパッドのような入力装置を必要としないため、コンピュータのほか、携帯電話のような携帯情報端末などでも、使用が拡大する傾向にある。
【０００３】
タッチパネルの方式としては、光学式、抵抗式、静電容量式などいくつかの方式が存在する。例えば、特許文献１には、一方向に延伸する複数の電極を互いに交差するように配置した、静電容量式のタッチパネルが提案されている。このタッチパネルでは、各電極は、それぞれ制御回路と接続され、制御回路から励磁電流を供給することにより、外部近接物体を検出するようになっている。
【０００４】
また、例えば、特許文献２には、表示パネルにもともと備えられている表示用の共通電極を、一対のタッチセンサ用電極のうちの一方として兼用し、他方の電極（タッチ検出電極）をこの共通電極と交差するように配置した、いわゆるインセルタイプの表示パネルが提案されている。また、表示パネルの表示面上にタッチパネルを形成した、いわゆるオンセルタイプの表示パネルもいくつか提案されている。
【先行技術文献】
【特許文献】
【０００５】
【特許文献１】特表２００６−５１１８７９号公報
【特許文献２】特開２００９−２５８１８２号公報
【発明の概要】
【発明が解決しようとする課題】
【０００６】
ところで、近年、表示パネルの高精細化や大型化が進んでいる。例えば、表示パネルとタッチパネルとを同期して動作させる場合には、水平ラインが増加することに伴い、１フレーム期間における、画素信号の書込期間の占める割合が多くなるため、タッチ検出のための時間が短くなってしまう。よって、タッチパネルでは、本来の目的であるタッチ検出精度を維持しつつ、短い時間でタッチ検出動作を行うことが望まれている。
【０００７】
本開示はかかる問題点に鑑みてなされたもので、その目的は、タッチ検出精度の低下を抑えつつ、短い時間でタッチ検出を行うことができる表示パネル、駆動回路、駆動方法、および電子機器を提供することにある。
【課題を解決するための手段】
【０００８】
本開示の表示パネルは、表示素子と、複数の駆動電極と、１または複数のタッチ検出電極と、主駆動部と、第１の補助駆動部とを備えている。１または複数のタッチ検出電極は、各駆動電極との間に静電容量を形成するものである。主駆動部は、駆動電極に供給されるパルス部分を含む基本駆動信号を生成するものである。第１の補助駆動部は、容量素子を有し、パルス部分に同期して容量素子と駆動電極との間で電荷のやりとりを行うものである。
【０００９】
本開示の駆動回路は、容量素子を有し、基本駆動信号のうちの、駆動電極に供給されるパルス部分に同期して、容量素子と駆動電極との間で電荷のやりとりを行うものである。
【００１０】
本開示の駆動方法は、駆動電極に基本駆動信号のパルス部分を供給するとともに、パルス部分に同期して、容量素子と駆動電極との間で電荷のやりとりを行うものである。
【００１１】
本開示の電子機器は、上記表示パネルを備えたものであり、例えば、テレビジョン装置、デジタルカメラ、パーソナルコンピュータ、ビデオカメラあるいは携帯電話等の携帯端末装置などが該当する。
【００１２】
本開示の表示パネル、駆動回路、駆動方法、および電子機器では、複数の駆動電極に対して基本駆動信号のパルス部分が印加され、そのパルス部分が静電容量を介してタッチ検出電極に伝わる。その際、パルス部分に同期して容量素子と駆動電極との間で電荷のやりとりが行われる。
【発明の効果】
【００１３】
本開示の表示パネル、駆動回路、駆動方法、および電子機器によれば、パルス部分に同期して容量素子と駆動電極との間で電荷のやりとりを行うようにしたので、タッチ検出精度の低下を抑えつつ、短い時間でタッチ検出を行うことができる。
【図面の簡単な説明】
【００１４】
【図１】本開示の表示パネルにおけるタッチ検出方式の基本原理を説明するための図であり、指が接触または近接していない状態を表す図である。
【図２】本開示の表示パネルにおけるタッチ検出方式の基本原理を説明するための図であり、指が接触または近接した状態を表す図である。
【図３】本開示の表示パネルにおけるタッチ検出方式の基本原理を説明するための図であり、駆動信号およびタッチ検出信号の波形の一例を表す図である。
【図４】本開示の第１の実施の形態に係る表示パネルの一構成例を表すブロック図である。
【図５】図４に示した選択スイッチ部の一構成例を表すブロック図である。
【図６】図４に示したタッチ検出機能付き表示デバイスの概略断面構造を表す断面図である。
【図７】図４に示した液晶表示デバイスにおける画素配列を表す回路図である。
【図８】図４に示したタッチ検出デバイスにおける駆動電極およびタッチ検出電極の一構成例を表す斜視図である。
【図９】図４に示した表示パネルにおけるタッチ検出走査の一動作例を表す模式図である。
【図１０】図４に示した表示パネルにおける表示走査およびタッチ検出走査の一動作例を表す模式図である。
【図１１】図４に示した駆動電極走査部の一構成例を表すブロック図である。
【図１２】図４に示した表示パネルの実装例を表す模式図である。
【図１３】図４に示した補助駆動部の一構成例を表す回路図である。
【図１４】図１３に示した容量素子の一構成例を表す断面図である。
【図１５】図４に示した表示パネルの一動作例を表すタイミング波形図である。
【図１６】図４に示した表示パネルにおけるタッチ検出動作の一例を表すタイミング波形図である。
【図１７】図１３に示した補助駆動部の一動作例を表すタイミング波形図である。
【図１８】図１３に示した補助駆動部の一特性例を表す特性図である。
【図１９】第１の実施の形態の変形例に係る容量素子の一構成例を表す断面図である。
【図２０】第１の実施の形態の変形例に係る補助駆動部の一動作例を表すタイミング波形図である。
【図２１】本開示の第２および第３の実施の形態に係る表示パネルの一構成例を表すブロック図である。
【図２２】第２の実施の形態に係る補助駆動部の一構成例を表す回路図である。
【図２３】図２２に示した補助駆動部の一動作例を表すタイミング波形図である。
【図２４】第３の実施の形態に係る補助駆動部の一構成例を表す回路図である。
【図２５】図２４に示した補助駆動部の一動作例を表すタイミング波形図である。
【図２６】実施の形態に係る表示パネルが適用されたテレビジョン装置の外観構成を表す斜視図である。
【図２７】変形例に係る表示パネルの一構成例を表すブロック図である。
【図２８】図２７に示した補助駆動部の一構成例を表す回路図である。
【図２９】図２８に示した補助駆動部の一動作例を表すタイミング波形図である。
【図３０】変形例に係るタッチ検出機能付き表示デバイスの概略断面構造を表す断面図である。
【発明を実施するための形態】
【００１５】
以下、本開示の実施の形態について、図面を参照して詳細に説明する。なお、説明は以下の順序で行う。
１．静電容量式タッチ検出の基本原理
２．第１の実施の形態
３．第２の実施の形態
４．第３の実施の形態
５．適用例
【００１６】
＜１．静電容量式タッチ検出の基本原理＞
まず最初に、図１〜図３を参照して、本開示の表示パネルにおけるタッチ検出の基本原理について説明する。このタッチ検出方式は、静電容量式のタッチセンサとして具現化されるものであり、例えば図１（Ａ）に示したように、誘電体Ｄを挟んで互いに対向配置された一対の電極（駆動電極Ｅ１およびタッチ検出電極Ｅ２）を用い、容量素子を構成する。この構造は、図１（Ｂ）に示した等価回路として表される。駆動電極Ｅ１、タッチ検出電極Ｅ２および誘電体Ｄによって、容量素子Ｃ１が構成される。容量素子Ｃ１は、その一端が交流信号源（駆動信号源）Ｓに接続され、他端Ｐは抵抗器Ｒを介して接地されると共に、電圧検出器（タッチ検出回路）ＤＥＴに接続される。交流信号源Ｓから駆動電極Ｅ１（容量素子Ｃ１の一端）に所定の周波数（例えば数ｋＨｚ〜数十ｋＨｚ程度）の交流矩形波Ｓｇ（図３（Ｂ））を印加すると、タッチ検出電極Ｅ２（容量素子Ｃ１の他端Ｐ）に、図３（Ａ）に示したような出力波形（タッチ検出信号Ｖdet）が現れる。
【００１７】
指が接触（または近接）していない状態では、図１に示したように、容量素子Ｃ１に対する充放電に伴って、容量素子Ｃ１の容量値に応じた電流Ｉ０が流れる。このときの容量素子Ｃ１の他端Ｐの電位波形は、例えば図３（Ａ）の波形Ｖ０のようになり、これが電圧検出器ＤＥＴによって検出される。
【００１８】
一方、指が接触（または近接）した状態では、図２に示したように、指によって形成される容量素子Ｃ２が容量素子Ｃ１に直列に追加された形となる。この状態では、容量素子Ｃ１、Ｃ２に対する充放電に伴って、それぞれ電流Ｉ１、Ｉ２が流れる。このときの容量素子Ｃ１の他端Ｐの電位波形は、例えば図３（Ａ）の波形Ｖ１のようになり、これが電圧検出器ＤＥＴによって検出される。このとき、点Ｐの電位は、容量素子Ｃ１、Ｃ２を流れる電流Ｉ１、Ｉ２の値によって定まる分圧電位となる。このため、波形Ｖ１は、非接触状態での波形Ｖ０よりも小さい値となる。電圧検出器ＤＥＴは、検出した電圧を所定のしきい値電圧Ｖthと比較し、このしきい値電圧以上であれば非接触状態と判断する一方、しきい値電圧未満であれば接触状態と判断する。このようにして、タッチ検出が可能となる。
【００１９】
＜２．第１の実施の形態＞
［構成例］
（全体構成例）
図４は、第１の実施の形態に係る表示パネルの一構成例を表すものである。この表示パネル１は、液晶表示デバイスと静電容量式のタッチ検出デバイスとを一体化した、いわゆるインセルタイプの表示パネルである。
【００２０】
この表示パネル１は、制御部１１と、ゲートドライバ１２と、ソースドライバ１３と、選択スイッチ部１４と、駆動信号生成部１５と、駆動電極走査部１６と、補助駆動部１８と、タッチ検出機能付き表示デバイス１０と、タッチ検出部４０とを備えている。
【００２１】
制御部１１は、映像信号Ｖdispに基づいて、ゲートドライバ１２、ソースドライバ１３、駆動信号生成部１５、駆動電極走査部１６、補助駆動部１８、およびタッチ検出部４０に対してそれぞれ制御信号を供給し、これらがお互いに同期して動作するように制御する回路である。
【００２２】
ゲートドライバ１２は、制御部１１から供給される制御信号に基づいて、タッチ検出機能付き表示デバイス１０の表示駆動の対象となる１水平ラインを順次選択する機能を有している。具体的には、ゲートドライバ１２は、制御部１１から供給される制御信号に基づいて走査信号Ｖscanを生成し、その走査信号Ｖscanを、走査信号線ＧＣＬを介して、画素ＰixのＴＦＴ素子Ｔｒのゲートに印加することにより、タッチ検出機能付き表示デバイス１０の液晶表示デバイス２０にマトリックス状に形成されている画素Ｐixのうちの１行（１水平ライン）を表示駆動の対象として順次選択する。
【００２３】
ソースドライバ１３は、制御部１１から供給される映像信号およびソースドライバ制御信号に基づいて、画素信号Ｖsigを生成し出力するものである。具体的には、ソースドライバ１３は、後述するように、１水平ライン分の映像信号から、タッチ検出機能付き表示デバイス１０の液晶表示デバイス２０の複数（この例では３つ）のサブ画素ＳＰixの画素信号Ｖpixを時分割多重した画素信号Ｖsigを生成し、選択スイッチ部１４に供給するようになっている。また、ソースドライバ１３は、画素信号Ｖsigに多重化された画素信号Ｖpixを分離するために必要なスイッチ制御信号Ｖsel（ＶselR，ＶselG，ＶselB）を生成し、画素信号Ｖsigとともに選択スイッチ部１４に供給する機能も有している。なお、この多重化は、ソースドライバ１３と選択スイッチ部１４との間の配線数を少なくするために行われるものである。
【００２４】
選択スイッチ部１４は、ソースドライバ１３から供給された画素信号Ｖsigおよびスイッチ制御信号Ｖselに基づいて、画素信号Ｖsigに時分割多重された画素信号Ｖpixを分離し、タッチ検出機能付き表示デバイス１０の液晶表示デバイス２０に供給するものである。
【００２５】
図５は、選択スイッチ部１４の一構成例を表すものである。選択スイッチ部１４は、複数のスイッチグループ１７を有する。各スイッチグループ１７は、この例では、３つのスイッチＳＷＲ，ＳＷＧ，ＳＷＢを有しており、それぞれの一端は互いに接続されソースドライバ１３から画素信号Ｖsigが供給され、他端はタッチ検出機能付き表示デバイス１０の液晶表示デバイス２０の画素信号線ＳＧＬを介して、画素Ｐixに係る３つのサブ画素ＳＰix（Ｒ，Ｇ，Ｂ）にそれぞれ接続されている。この３つのスイッチＳＷＲ，ＳＷＧ，ＳＷＢは、ソースドライバ１３から供給されたスイッチ制御信号Ｖsel（ＶselR，ＶselG，ＶselB）によってそれぞれオンオフ制御されるようになっている。この構成により、選択スイッチ部１４は、スイッチ制御信号Ｖselに応じてこの３つのスイッチＳＷＲ，ＳＷＧ，ＳＷＢを時分割的に順次切り替えてオン状態にすることにより、多重化された画素信号Ｖsigから画素信号Ｖpix（ＶpixR，ＶpixG，ＶpixB）を分離するように機能する。そして、選択スイッチ部１４は、これらの画素信号Ｖpixを、３つのサブ画素ＳＰixにそれぞれ供給するようになっている。
【００２６】
駆動信号生成部１５は、直流駆動信号ＶcomDCおよび交流駆動信号ＶcomACを生成し、駆動電極走査部１６に供給するものである。この例では、直流駆動信号ＶcomDCは、電圧が０Ｖの直流信号である。交流駆動信号ＶcomACは、低レベル電圧が０Ｖであり、高レベル電圧がＶＨである２つのパルスＰｔ，Ｐｉを含む信号である。後述するように、パルスＰｔは駆動電極ＣＯＭＬに供給されるものであり、パルスＰｉは補助駆動部１８を初期化するためのものである。
【００２７】
駆動電極走査部１６は、制御部１１から供給される制御信号に基づいて、駆動信号生成部１５から供給される直流駆動信号ＶcomDCおよび交流駆動信号ＶcomACの一方を選択し、駆動信号Ｖcomとして、タッチ検出機能付き表示デバイス１０の駆動電極ＣＯＭＬ（後述）のそれぞれに供給する回路である。具体的には、駆動電極走査部１６は、表示動作では、駆動電極ＣＯＭＬに対して、直流駆動信号ＶcomDCを供給する。また、タッチ検出動作では、駆動電極走査部１６は、交流駆動信号ＶcomACのパルスＰｔを、タッチ検出動作に係る駆動電極ＣＯＭＬに対して供給するとともに、それ以外の駆動電極ＣＯＭＬに対して、直流駆動信号ＶcomDCを供給する。その際、駆動電極走査部１６は、所定の数の駆動電極ＣＯＭＬからなるブロック（後述する駆動電極ブロックＢ）ごとに、駆動信号Ｖcomを供給するようになっている。
【００２８】
補助駆動部１８は、制御部１１から供給される制御信号ＣＴＬ（ＣＴＬＨ，ＣＴＬＬ）に基づいて、駆動信号生成部１５の駆動動作を補助する回路である。具体的には、補助駆動部１８は、後述するように、駆動電極走査部１６を介して駆動電極ＣＯＭＬに供給される駆動信号Ｖcom（パルスＰｔ）の遷移時間（立ち上がり時間ｔｒおよび立ち下がり時間ｔｆ）を短くするように、駆動信号生成部１５の駆動動作を補助するようになっている。
【００２９】
タッチ検出機能付き表示デバイス１０は、タッチ検出機能を内蔵した表示デバイスである。タッチ検出機能付き表示デバイス１０は、液晶表示デバイス２０と、タッチ検出デバイス３０とを有する。液晶表示デバイス２０は、後述するように、ゲートドライバ１２から供給される走査信号Ｖscanに従って、１水平ラインずつ順次走査して表示を行うデバイスである。タッチ検出デバイス３０は、上述した静電容量式タッチ検出の基本原理に基づいて動作し、タッチ検出信号Ｖdetを出力するものである。このタッチ検出デバイス３０は、後述するように、駆動電極走査部１６から供給される駆動信号Ｖcomに従って順次走査してタッチ検出を行うようになっている。
【００３０】
タッチ検出部４０は、制御部１１から供給されるタッチ検出制御信号と、タッチ検出機能付き表示デバイス１０のタッチ検出デバイス３０から供給されたタッチ検出信号Ｖdetに基づいて、タッチ検出デバイス３０に対するタッチの有無を検出し、タッチがある場合においてタッチ検出領域におけるその座標などを求める回路である。このタッチ検出部４０は、ＬＰＦ（Low Pass Filter）部４２と、Ａ／Ｄ変換部４３と、信号処理部４４と、座標抽出部４５と、検出タイミング制御部４６とを有している。ＬＰＦ部４２は、タッチ検出デバイス３０から供給されるタッチ検出信号Ｖdetに含まれる高い周波数成分（ノイズ成分）を除去し、タッチ成分を取り出してそれぞれ出力する低域通過アナログフィルタである。ＬＰＦ部４２の入力端子のそれぞれと接地との間には、直流電位（例えば０Ｖ）を与えるための抵抗Ｒが接続されている。なお、この抵抗Ｒに代えて、例えばスイッチを設け、所定の時間にこのスイッチをオン状態にすることにより直流電位（０Ｖ）を与えるようにしてもよい。Ａ／Ｄ変換部４３は、交流駆動信号ＶcomACのパルスＰｔに同期したタイミングで、ＬＰＦ部４２から出力されるアナログ信号をそれぞれサンプリングしてデジタル信号に変換する回路である。信号処理部４４は、Ａ／Ｄ変換部４３の出力信号に基づいて、タッチ検出デバイス３０に対するタッチの有無を検出する論理回路である。座標抽出部４５は、信号処理部４４においてタッチ検出がなされたときに、そのタッチパネル座標を求める論理回路である。検出タイミング制御部４６は、これらの回路が同期して動作するように制御するようになっている。
【００３１】
（タッチ検出機能付き表示デバイス１０）
次に、タッチ検出機能付き表示デバイス１０の構成例を詳細に説明する。
【００３２】
図６は、タッチ検出機能付き表示デバイス１０の要部断面構造の例を表すものである。このタッチ検出機能付き表示デバイス１０は、画素基板２と、この画素基板２に対向して配置された対向基板３と、画素基板２と対向基板３との間に挿設された液晶層６とを備えている。
【００３３】
画素基板２は、回路基板としてのＴＦＴ基板２１と、駆動電極ＣＯＭＬと、画素電極２２とを有している。ＴＦＴ基板２１は、各種電極や配線（後述する画素信号線ＳＧＬや走査信号線ＧＣＬ等）、薄膜トランジスタ（ＴＦＴ；Thin Film Transistor）などが形成される回路基板として機能するものである。ＴＦＴ基板２１は例えばガラスにより構成されるものである。ＴＦＴ基板２１の上には、駆動電極ＣＯＭＬが形成される。駆動電極ＣＯＭＬは、複数の画素Ｐix（後述）に共通の電圧を供給するための電極である。この駆動電極ＣＯＭＬは、液晶表示動作のための共通駆動電極として機能するとともに、タッチ検出動作のための駆動電極としても機能するものである。駆動電極ＣＯＭＬの上には絶縁層２３が形成され、その上に画素電極２２が形成される。画素電極２２は、表示を行うための画素信号を供給するための電極であり、透光性を有するものである。駆動電極ＣＯＭＬおよび画素電極２２は、例えばＩＴＯ（Indium Tin Oxide）により構成される。
【００３４】
対向基板３は、ガラス基板３１と、カラーフィルタ３２と、タッチ検出電極ＴＤＬとを有している。カラーフィルタ３２は、ガラス基板３１の一方の面に形成されている。このカラーフィルタ３２は、例えば赤（Ｒ）、緑（Ｇ）、青（Ｂ）の３色のカラーフィルタ層を周期的に配列して構成したもので、各表示画素にＲ、Ｇ、Ｂの３色が１組として対応付けられている。また、ガラス基板３１の他方の面には、タッチ検出電極ＴＤＬが形成されている。タッチ検出電極ＴＤＬは、例えばＩＴＯにより構成され、透光性を有する電極である。このタッチ検出電極ＴＤＬの上には、偏光板３５が配設されている。
【００３５】
液晶層６は、表示機能層として機能するものであり、電界の状態に応じてそこを通過する光を変調するものである。この電界は、駆動電極ＣＯＭＬの電圧と画素電極２２の電圧との電位差により形成される。液晶層６には、ＦＦＳ（フリンジフィールドスイッチング）やＩＰＳ（インプレーンスイッチング）等の横電界モードの液晶が用いられる。
【００３６】
なお、液晶層６と画素基板２との間、および液晶層６と対向基板３との間には、それぞれ配向膜が配設され、また、画素基板２の下面側には入射側偏光板が配置されるが、ここでは図示を省略している。
【００３７】
図７は、液晶表示デバイス２０における画素構造の構成例を表すものである。液晶表示デバイス２０は、マトリックス状に配列した複数の画素Ｐixを有している。各画素Ｐixは、３つのサブ画素ＳＰixにより構成される。この３つのサブ画素ＳＰixは、図６に示したカラーフィルタ３２の３色（ＲＧＢ）にそれぞれ対応するように配置されている。サブ画素ＳＰixは、ＴＦＴ素子Ｔｒおよび液晶素子ＬＣを有している。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００３８】
サブ画素ＳＰixは、走査信号線ＧＣＬにより、液晶表示デバイス２０の同じ行に属する他のサブ画素ＳＰixと互いに接続されている。走査信号線ＧＣＬは、ゲートドライバ１２と接続され、ゲートドライバ１２より走査信号Ｖscanが供給される。また、サブ画素ＳＰixは、画素信号線ＳＧＬにより、液晶表示デバイス２０の同じ列に属する他のサブ画素ＳＰixと互いに接続されている。画素信号線ＳＧＬは、選択スイッチ部１４と接続され、選択スイッチ部１４より画素信号Ｖpixが供給される。
【００３９】
さらに、サブ画素ＳＰixは、駆動電極ＣＯＭＬにより、液晶表示デバイス２０の同じ行に属する他のサブ画素ＳＰixと互いに接続されている。駆動電極ＣＯＭＬは、駆動電極走査部１６と接続され、駆動電極走査部１６より駆動信号Ｖcomが供給される。
【００４０】
この構成により、液晶表示デバイス２０では、ゲートドライバ１２が走査信号線ＧＣＬを時分割的に線順次走査するように駆動することにより、１水平ラインが順次選択され、その１水平ラインに属する画素Ｐixに対して、ソースドライバ１３および選択スイッチ部１４が画素信号Ｖpixを供給することにより、１水平ラインずつ表示が行われるようになっている。
【００４１】
図８は、タッチ検出デバイス３０の一構成例を斜視的に表すものである。タッチ検出デバイス３０は、画素基板２に設けられた駆動電極ＣＯＭＬ、および対向基板３に設けられたタッチ検出電極ＴＤＬにより構成されている。駆動電極ＣＯＭＬは、図の左右方向に延在する帯状の電極パターンを有している。タッチ検出動作を行う際は、後述するように、各電極パターンには、所定の数の駆動電極ＣＯＭＬからなるブロック（後述する駆動電極ブロックＢ）ごとに駆動信号Ｖcom（パルスＰｔ）が順次供給され、時分割的に順次走査駆動が行われるようになっている。タッチ検出電極ＴＤＬは、駆動電極ＣＯＭＬの電極パターンの延在方向と直交する方向に延びる帯状の電極パターンを有している。タッチ検出電極ＴＤＬの各電極パターンは、タッチ検出部４０のＬＰＦ部４２の入力にそれぞれ接続されている。駆動電極ＣＯＭＬとタッチ検出電極ＴＤＬにより互いに交差した電極パターンは、その交差部分に静電容量を形成している。
【００４２】
この構成により、タッチ検出デバイス３０では、駆動電極走査部１６が駆動電極ＣＯＭＬに対して駆動信号Ｖcomを印加することにより、タッチ検出電極ＴＤＬからタッチ検出信号Ｖdetを出力し、タッチ検出が行われるようになっている。つまり、駆動電極ＣＯＭＬは、図１〜図３に示したタッチ検出の基本原理における駆動電極Ｅ１に対応し、タッチ検出電極ＴＤＬは、タッチ検出電極Ｅ２に対応するものであり、タッチ検出デバイス３０はこの基本原理に従ってタッチを検出するようになっている。図８に示したように、互いに交差した電極パターンは、静電容量式タッチセンサをマトリックス状に構成している。よって、タッチ検出デバイス３０のタッチ検出面全体にわたって走査することにより、外部近接物体の接触または近接が生じた位置の検出も可能となっている。
【００４３】
駆動電極走査部１６は、所定の数の駆動電極ＣＯＭＬからなるブロック（駆動電極ブロックＢ）ごとに駆動電極ＣＯＭＬを駆動して、タッチ検出走査を行う。
【００４４】
図９は、タッチ検出走査を模式的に表すものである。図９では、タッチ検出面が２０個の駆動電極ブロックＢ１〜Ｂ２０により構成される場合の、各駆動電極ブロックＢ１〜Ｂ２０に対する駆動信号Ｖcomの供給動作を示している。図９において、斜線で示した駆動電極ブロックＢは、交流駆動信号ＶcomACのパルスＰｔが供給されていることを示し、その他の駆動電極ブロックＢは、直流駆動信号ＶcomDCが供給されていることを示す。なお、この例では、説明の便宜上、駆動電極ブロックＢの個数を２０個としているが、これに限定されるものではない。
【００４５】
駆動電極走査部１６は、駆動電極ＣＯＭＬに対して、駆動電極ブロックＢごとに駆動信号Ｖcomを供給する。この駆動電極ブロックＢは、例えば、ユーザの指の大きさに対応する幅（例えば５ｍｍ程度）に設定される。駆動電極走査部１６は、図９に示したように、タッチ検出動作の対象となる駆動電極ブロックＢを順次選択して、その駆動電極ブロックＢに属する駆動電極ＣＯＭＬにパルスＰｔを供給することにより、全ての駆動電極ブロックＢにわたって走査する。
【００４６】
図１０は、表示走査およびタッチ検出走査を模式的に表すものである。表示パネル１では、ゲートドライバ１２が走査信号線ＧＣＬを時分割的に線順次走査するように駆動することにより、表示走査Ｓcandを行うとともに、駆動電極走査部１６が駆動電極ブロックＢを順次選択して駆動することにより、タッチ検出走査Ｓcantを行う。この例では、タッチ検出走査Ｓcantは、表示走査Ｓcandの２倍の走査速度で行われる。このように、表示パネル１では、タッチ検出の走査速度を表示走査よりも速くすることにより、外部近接物体によるタッチにすぐに応答することができ、タッチ検出に対する応答特性を改善することができるようになっている。なお、これに限定されるものではなく、例えば、タッチ検出走査Ｓcantは、表示走査Ｓcandの２倍以上の走査速度で行われるようにしてもよいし、表示走査Ｓcandの２倍以下の走査速度で行われるようにしてもよい。
【００４７】
（駆動電極走査部１６）
図１１は、駆動電極走査部１６の一構成例を表すものである。駆動電極走査部１６は、走査制御部５１と、タッチ検出走査部５２と、駆動部５３０とを備えている。駆動部５３０は、２０個の駆動部５３(1)〜５３(20)を有している。以後、２０個の駆動部５３(2)〜５３(20)のうちの任意の一つをさす場合には、単に駆動部５３を用いるものとする。
【００４８】
走査制御部５１は、制御部１１より供給された制御信号に基づいて、タッチ検出走査部５２に対して制御信号を供給するものである。また、走査制御部５１は、直流駆動信号ＶcomDCと交流駆動信号ＶcomACのうちのどちらを駆動電極ＣＯＭＬに供給するかを指示するためのＶcom選択信号ＶＣＯＭＳＥＬを、駆動部５３０に対して供給する機能も有している。
【００４９】
タッチ検出走査部５２は、シフトレジスタを含んで構成され、交流駆動信号ＶcomACのパルスＰｔを印加する駆動電極ブロックＢを選択するための走査信号Ｓｔを生成するものである。具体的には、タッチ検出走査部５２は、後述するように、走査制御部５１から供給された制御信号に基づいて、それぞれが各駆動電極ブロックＢに対応する複数の走査信号Ｓｔを生成する。そして、タッチ検出走査部５２が、例えば高レベルの信号をｋ番目の走査信号Ｓｔ(k)としてｋ番目の駆動部５３(k)に供給した場合に、この駆動部５３(k)は、ｋ番目の駆動電極ブロックＢ(k)に属する複数の駆動電極ＣＯＭＬに交流駆動信号ＶcomACのパルスＰｔを印加するようになっている。
【００５０】
駆動部５３０は、タッチ検出走査部５２から供給された走査信号Ｓｔ、および走査駆動部５１から供給されたＶcom選択信号ＶＣＯＭＳＥＬに基づいて、駆動信号生成部１５から供給された直流駆動信号ＶcomDCおよび交流駆動信号ＶcomACのうちの一方を選択し、駆動信号Ｖcomとして駆動電極ＣＯＭＬに印加するものである。駆動部５３は、タッチ検出走査部５２の出力信号に対応して１つずつ設けられており、対応する駆動電極ブロックＢに対して駆動信号Ｖcomを印加するようになっている。
【００５１】
駆動部５３は、論理積回路５４と、インバータ５５と、バッファ５６，５７と、スイッチＳＷ１，ＳＷ２とを有している。論理積回路５４は、タッチ検出走査部５２から供給された走査信号Ｓｔ、および走査制御部５１から供給されたＶcom選択信号ＶＣＯＭＳＥＬの論理積（ＡＮＤ）を生成して出力するものである。インバータ５５は、論理積回路５４の出力信号の反転論理を生成して出力するものである。バッファ５６は、論理積回路５４から供給された信号を、スイッチＳＷ１をオンオフ制御することができる振幅レベルに増幅する機能を有している。スイッチＳＷ１は、バッファ５６から供給される信号に基づいてオンオフ制御されるものであり、一端には交流駆動信号ＶcomACが供給され、他端は駆動電極ブロックＢに属する複数の駆動電極ＣＯＭＬに接続されている。バッファ５７は、インバータ５５から供給される信号を、スイッチＳＷ２をオンオフ制御することができる振幅レベルに増幅する機能を有している。スイッチＳＷ２は、バッファ５７から供給される信号に基づいてオンオフ制御されるものであり、一端には直流駆動信号ＶcomDCが供給され、他端はスイッチＳＷ１の他端に接続されている。
【００５２】
この構成により、駆動部５３は、走査信号Ｓｔが高レベルの場合には、Ｖcom選択信号ＶＣＯＭＳＥＬが高レベルのときに、交流駆動信号ＶcomACを駆動信号Ｖcomとして出力し、Ｖcom選択信号ＶＣＯＭＳＥＬが低レベルのときに、直流駆動信号ＶcomDCを駆動信号Ｖcomとして出力する。また、駆動部５３は、走査信号Ｓｔが低レベルの場合には、直流駆動信号ＶcomDCを駆動信号Ｖcomとして出力する。そして、駆動部５３は、このようにして出力した駆動信号Ｖcomを、その駆動部５３に対応する駆動電極ブロックＢに属する複数の駆動電極ＣＯＭＬに対して供給するようになっている。
【００５３】
（補助駆動部１８）
補助駆動部１８の説明に先立ち、まず、表示パネル１における各ブロックの配置について説明する。
【００５４】
図１２は、表示パネル１の実装例を模式的に表すものである。制御部１１、ソースドライバ１３、および駆動信号生成部１５は、画素基板２上にＣＯＧ（Chip On Glass）として実装される。選択スイッチ部１４は、ＴＦＴ基板２１上の表示領域Ａｄの近傍に、ＴＦＴ素子を用いて形成されている。
【００５５】
ゲートドライバ１２（１２Ａ，１２Ｂ）は、ＴＦＴ基板２１上にＴＦＴ素子を用いて形成されている。この例では、ゲートドライバ１２は、図１２において、画素基板２の上側（１２Ａ）と下側（１２Ｂ）に配置され、表示領域Ａｄにマトリックス状に配置された図示しない画素Ｐixを、両側から駆動することができるようになっている。
【００５６】
駆動電極走査部１６（１６Ａ，１６Ｂ）は、ＴＦＴ基板２１上にＴＦＴ素子を用いて形成されている。この例では、駆動電極走査部１６は、図１２において、画素基板２の上側（１６Ａ）と下側（１６Ｂ）に配置され、駆動信号生成部１５から、配線ＬＤＣを介して直流駆動信号ＶcomDCの供給を受けるとともに、配線ＬＡＣを介して交流駆動信号ＶcomACの供給を受ける。そして、駆動電極走査部１６Ａ，１６Ｂは、並設された複数の駆動電極ブロックＢのそれぞれを、両側から駆動することができるようになっている。
【００５７】
補助駆動部１８（１８Ａ，１８Ｂ）は、ＴＦＴ基板２１上にＴＦＴ素子を用いて形成されている。補助駆動部１８は、駆動信号生成部１５から延びる配線ＬＡＣの末端部付近に配置されている。具体的には、この例では、補助駆動部１８Ａは、駆動電極走査部１６Ａに交流駆動信号ＶcomACを供給する配線ＬＡＣの末端部付近に配置され、補助駆動部１８Ｂは、駆動電極走査部１６Ｂに交流駆動信号ＶcomACを供給する配線ＬＡＣの末端部付近に配置されている。
【００５８】
また、タッチ検出部４０は、フレキシブルプリント基板Ｔ上に実装され、並設された複数のタッチ検出電極ＴＤＬのそれぞれと接続されている。
【００５９】
図１２に示したように、表示パネル１では、補助駆動部１８（１８Ａ，１８Ｂ）は、駆動信号生成部１５と離れた位置に配置される。これにより、補助駆動部１８は、駆動電極ＣＯＭＬブロックＢに供給されたパルスＰｔの遷移時間（立ち上がり時間ｔｒおよび立ち下がり時間ｔｆ）を短くするように機能する。すなわち、配線ＬＡＣは寄生抵抗などを有し、この配線ＬＡＣを介してパルスＰｔが供給される駆動電極ブロックＢに属する駆動電極ＣＯＭＬは寄生容量などを有することから、駆動信号生成部１５から離れた位置に配置された駆動電極ブロックＢでは、そのパルスＰｔの遷移時間が長くなるおそれがある。特に、配線ＬＡＣの末端部付近に配置された駆動電極ブロックＢでは、この傾向が顕著になり、波形が潰れるおそれがある。表示パネル１では、配線ＬＡＣの末端部付近に補助駆動部１８を設けることにより、このパルスＰｔの遷移時間を短くすることができるようになっている。
【００６０】
図１３は、補助駆動部１８の一構成例を表すものである。補助駆動部１８は、容量素子ＣＨ，ＣＬと、スイッチＳＷＨ，ＳＷＬとを備えている。容量素子ＣＨは、一端がスイッチＳＷＨの一端に接続され、他端が接地されている。スイッチＳＷＨは、制御部１１から供給される制御信号ＣＴＬＨに基づいてオンオフ制御されるものであり、一端が容量素子ＳＷＨの一端に接続され、他端は配線ＬＡＣに接続されている。容量素子ＣＬは、一端がスイッチＳＷＬの一端に接続され、他端が接地されている。スイッチＳＷＬは、制御部１１から供給される制御信号ＣＴＬＬに基づいてオンオフ制御されるものであり、一端が容量素子ＣＬの一端に接続され、他端はスイッチＳＷＬの他端に接続されるとともに配線ＬＡＣに接続されている。
【００６１】
この構成により、補助駆動部１８では、交流駆動信号ＶcomACのパルスＰｔの立ち上がりにおいて、制御信号ＣＴＬＨに基づいてスイッチＳＷＨがオン状態になることにより、容量素子ＣＨと、タッチ検出動作の対象になっている駆動電極ブロックＢとの間で電荷のやりとりが行われ、その駆動電極ブロックＢにおけるパルスＰｔの立ち上がり時間ｔｒを短くすることができる。同様に、補助駆動部１８では、交流駆動信号ＶcomACのパルスＰｔの立ち下がりにおいて、制御信号ＣＴＬＬに基づいてスイッチＳＷＬがオン状態になることにより、容量素子ＣＬと、タッチ検出動作の対象になっている駆動電極ブロックＢとの間で電荷のやりとりが行われ、その駆動電極ブロックＢにおけるパルスＰｔの立ち下がり時間ｔｆを短くすることができる。
【００６２】
また、補助駆動部１８は、後述するように、交流駆動信号ＶcomACのパルスＰｉなどを用いて、スイッチＳＷＨ，ＳＷＬがオン状態になる前に、容量素子ＣＨ，ＣＬの電圧を初期化する機能をも有している。
【００６３】
次に、補助駆動部１８の容量素子ＣＨ，ＣＬの構成例について説明する。以下、容量素子ＣＨを例として説明するが、容量素子ＣＬについても同様である。
【００６４】
図１４は、容量素子ＣＨの要部断面構造の例を表すものである。容量素子ＣＨは、図６に示した画素基板２に形成されるものである。容量素子ＣＨは、電極６１，６２と、電極６１，６２の間に挿設された絶縁層６３とにより構成されている。電極６１は、画素電極２２（図６）と同じ層により形成されるものであり、例えばＩＴＯにより構成される。電極６２は、駆動電極ＣＯＭＬ（図６）と同じ層により形成されるものであり、例えばＩＴＯにより構成される。また、絶縁層６３は絶縁層２３（図６）に対応するものである。電極６２は、複数のコンタクトＣＯＮＴを介して、ＴＦＴ基板２１上に形成された配線層６５に接続される。この配線層６５は、画素信号線ＳＧＬ（図７）と同じ層により形成されるものであり、例えばアルミニウムにより構成される。なお、この例では、電極６１（配線層６５）はスイッチＳＷＨの一端に接続され、電極６２は接地される。容量素子ＣＬの場合には、電極６１（配線層６５）はスイッチＳＷＬの一端に接続され、電極６２は接地される。
【００６５】
このように、容量素子ＣＨ，ＣＬは、図６等に示したタッチ検出機能付き表示デバイス１０の製造プロセスにより、製造工程の追加を行うことなく、タッチ検出機能付き表示デバイス１０と同時に形成することができる。
【００６６】
ここで、液晶素子ＬＣは、本開示における「表示素子」の一具体例に対応する。駆動信号生成部１５は、本開示における「主駆動部」の一具体例に対応する。交流駆動信号ＶcomACは、本開示における「基本駆動信号」の一具体例に対応し、パルスＰｔは、本開示における「パルス部分」の一具体例に対応する。容量素子ＣＨおよびスイッチＳＷＨ、または容量素子ＣＬおよびスイッチＳＷＬのうち、一方は、本開示における「第１の補助駆動部」の一具体例に対応し、他方は、本開示における「第２の補助駆動部」の一具体例に対応する。
【００６７】
［動作および作用］
続いて、本実施の形態の表示パネル１の動作および作用について説明する。
【００６８】
（全体動作概要）
まず、図４を参照して、表示パネル１の全体動作概要を説明する。制御部１１は、映像信号Ｖdispに基づいて、ゲートドライバ１２、ソースドライバ１３、駆動信号生成部１５、駆動電極走査部１６、補助駆動部１８、およびタッチ検出部４０に対してそれぞれ制御信号を供給し、これらがお互いに同期して動作するように制御する。
【００６９】
ゲートドライバ１２は、液晶表示デバイス２０に走査信号Ｖscanを供給し、表示駆動の対象となる１水平ラインを順次選択する。ソースドライバ１３は、画素信号Ｖpixが多重化された画素信号Ｖsigと、それに対応したスイッチ制御信号Ｖselを生成し、選択スイッチ部１４に供給する。選択スイッチ部１４は、画素信号Ｖsigおよびスイッチ制御信号Ｖselに基づいて画素信号Ｖpixを分離生成し、その画素信号Ｖpixを、１水平ラインを構成する各サブ画素ＳＰixに供給する。駆動信号生成部１５は、直流駆動信号ＶcomDCおよび交流駆動信号ＶcomACを生成する。駆動電極走査部１６は、直流駆動信号ＶcomDCおよび交流駆動信号ＶcomACの一方を選択し、駆動電極ブロックＢごとに、駆動信号Ｖcomとして供給する。補助駆動部１８は、駆動信号生成部１５の駆動動作を補助する。タッチ検出機能付き表示デバイス１０は、表示動作を行うとともにタッチ検出動作を行い、タッチ検出電極ＴＤＬからタッチ検出信号Ｖdetを出力する。
【００７０】
タッチ検出部４０は、タッチ検出信号Ｖdetに基づいて、タッチを検出する。具体的には、ＬＰＦ部４２は、タッチ検出信号Ｖdetに含まれる高い周波数成分（ノイズ成分）を除去し、タッチ成分を取り出して出力する。Ａ／Ｄ変換部４３は、ＬＰＦ部４２から出力されるアナログ信号をデジタル信号に変換する。信号処理部４４は、Ａ／Ｄ変換部４３の出力信号に基づいて、タッチ検出機能付き表示デバイス１０に対するタッチの有無を検出する。座標抽出部４５は、信号処理部４４においてタッチ検出がなされたときに、そのタッチパネル座標を求める。検出タイミング制御部４６は、ＬＰＦ部４２、Ａ／Ｄ変換部４３、信号処理部４４、座標抽出部４５が同期して動作するように制御する。
（詳細動作）
次に、表示パネル１の詳細動作を説明する。
【００７１】
図１５は、表示パネル１のタイミング波形例を表すものであり、（Ａ）は走査信号Ｖscanの波形を示し、（Ｂ）は画素信号Ｖsigの波形を示し、（Ｃ）はスイッチ制御信号Ｖselの波形を示し、（Ｄ）は画素信号Ｖpixの波形を示し、（Ｅ）はＶcom選択信号ＶＣＯＭＳＥＬの波形を示し、（Ｆ）は駆動信号Ｖcomの波形を示し、（Ｇ）はタッチ検出信号Ｖdetの波形を示す。
【００７２】
表示パネル１では、各１水平期間（１Ｈ）において、タッチ検出動作および表示動作を行う。タッチ検出動作では、駆動電極走査部１６が、駆動電極ブロックＢごとに、タッチ検出動作に係る駆動電極ＣＯＭＬに対して、交流駆動信号ＶcomACのパルスＰｔを順次印加することによりタッチ検出走査を行い、タッチ検出部４０が、タッチ検出電極ＴＤＬから出力されるタッチ検出信号Ｖdetに基づいてタッチを検出する。表示動作では、ゲートドライバ１２が、走査信号線ＧＣＬに対して走査信号Ｖscanを順次印加し、ソースドライバ１３および選択スイッチ部１４が、選択された水平ラインを構成する各サブ画素ＳＰixに対して画素信号Ｖpixを書き込む。以下にその詳細を説明する。
【００７３】
まず、タイミングｔ１において１水平期間（１Ｈ）が開始し、駆動電極走査部１６の走査制御部５１が、Ｖcom選択信号ＶＣＯＭＳＥＬの電圧を低レベルから高レベルに変化させる（図１５（Ｇ））。これにより、駆動電極走査部１６では、タッチ検出動作に係るｋ番目の駆動部５３(k)において、スイッチＳＷ１がオン状態になるとともにスイッチＳＷ２がオフ状態となり、駆動信号生成部１５が生成した交流駆動信号ＶcomAC（図１５（Ａ））が、そのスイッチＳＷ１を介して、対応するｋ番目の駆動電極ブロックＢ(k)に属する駆動電極ＣＯＭＬに対して、駆動信号Ｖcom（Ｂ(k)）として印加される（図１５（Ｈ））。なお、駆動部５３(k)以外の駆動部５３では、スイッチＳＷ１がオフ状態になるとともに、スイッチＳＷ２がオン状態になっており、駆動信号生成部１５が生成した直流駆動信号ＶcomDC（図１５（Ｂ））が、そのスイッチＳＷ２を介して、対応する駆動電極ブロックＢに属する駆動電極ＣＯＭＬに対して印加される（図１５（Ｈ））。
【００７４】
次に、駆動信号生成部１５は、タイミングｔ２〜ｔ３の期間において、パルスＰｔを生成し、交流駆動信号ＶcomACとして出力する（図１５（Ａ））。これに伴い、ｋ番目の駆動電極ブロックＢ(k)に印加される駆動信号Ｖcom（Ｂ(k)）にもパルスＰｔが現れる（図１５（Ｈ））。この駆動信号Ｖcom（Ｂ(k)）は、静電容量を介してタッチ検出電極ＴＤＬに伝わり、タッチ検出信号Ｖdetが変化する（図１５（Ｉ））。
【００７５】
次に、タッチ検出部４０のＡ／Ｄ変換部４３が、サンプリングタイミングｔｓにおいて、このタッチ検出信号Ｖdet（図１５（Ｉ））が入力されたＬＰＦ部４２の出力信号をＡ／Ｄ変換する。タッチ検出部４０の信号処理部４４は、後述するように、複数の水平期間において収集したこのＡ／Ｄ変換結果に基づいて、タッチ検出を行う。
【００７６】
次に、駆動電極走査部１６の走査制御部５１は、タイミングｔ４において、Ｖcom選択信号ＶＣＯＭＳＥＬの電圧を高レベルから低レベルに変化させる（図１５（Ｇ））。これにより、駆動電極走査部１６では、駆動部５３(k)において、スイッチＳＷ１がオフ状態になるとともにスイッチＳＷ２がオン状態となり、駆動信号生成部１５が生成した直流駆動信号ＶcomDC（図１５（Ｂ））が、そのスイッチＳＷ２を介して、対応する駆動電極ブロックＢ(k)を構成する駆動電極ＣＯＭＬに対して、駆動信号Ｖcom（Ｂ(k)）として印加される（図１５（Ｈ））。
【００７７】
その後、駆動信号生成部１５は、この水平期間（１Ｈ）が終了するまでの間に、パルスＰｉを生成し、交流駆動信号ＶcomACとして出力する（図１５（Ａ））。このパルスＰｉは、後述するように、補助駆動部１８を初期化するために用いられる。
【００７８】
次に、ゲートドライバ１２は、タイミングｔ５において、表示動作に係るｎ行目の走査信号線ＧＣＬ(n)に対して、走査信号Ｖscanを印加し、走査信号Ｖscan(n)が低レベルから高レベルに変化する（図１５（Ｃ））。これにより、ゲートドライバ１２は、表示動作の対象となる１水平ラインを選択する。
【００７９】
そして、ソースドライバ１３が、画素信号Ｖsigとして、赤色のサブ画素ＳＰixのための画素電圧ＶＲを選択スイッチ部１４に供給するとともに（図１５（Ｄ））、その画素電圧ＶＲを供給している期間において高レベルとなるスイッチ制御信号ＶselRを生成する（図１５（Ｅ））。そして、選択スイッチ部１４は、このスイッチ制御信号ＶselRが高レベルとなる期間においてスイッチＳＷＲをオン状態にすることにより、ソースドライバ１３から供給された画素電圧ＶＲを画素信号Ｖsigから分離し、画素信号ＶpixRとして、画素信号線ＳＧＬを介して、赤色のサブ画素ＳＰixに対して供給する（図１５（Ｆ））。なお、スイッチＳＷＲがオフ状態になった後には、この画素信号線ＳＧＬがフローティング状態になるために、この画素信号線ＳＧＬの電圧は保持される（図１５（Ｆ））。
【００８０】
同様に、ソースドライバ１３は、緑色のサブ画素Ｓpixのための画素電圧ＶＧを、対応するスイッチ制御信号ＶselGとともに選択スイッチ部１４に供給し（図１５（Ｄ），（Ｅ））、選択スイッチ部１４は、スイッチ制御信号ＶselGに基づいて、この画素電圧ＶＧを画素信号Ｖsigから分離して、画素信号ＶpixGとして、画素信号線ＳＧＬを介して、緑色のサブ画素ＳＰixに供給する（図１５（Ｆ））。
【００８１】
その後、同様に、ソースドライバ１３は、青色のサブ画素Ｓpixのための画素電圧ＶＢを、対応するスイッチ制御信号ＶselBとともに選択スイッチ部１４に供給し（図１５（Ｄ），（Ｅ））、選択スイッチ部１４は、スイッチ制御信号ＶselBに基づいて、この画素電圧ＶＢを画素信号Ｖsigから分離して、画素信号ＶpixBとして、画素信号線ＳＧＬを介して、青色のサブ画素ＳＰixに供給する（図１５（Ｆ））。
【００８２】
次に、ゲートドライバ１２は、タイミングｔ９において、ｎ行目の走査信号線ＧＣＬの走査信号Ｖscan(n)を高レベルから低レベルに変化させる（図１５（Ｃ））。これにより、表示動作に係る１水平ラインのサブ画素Ｓpixは、画素信号線ＳＧＬから電気的に切り離される。
【００８３】
そして、タイミングｔ１１において１水平期間（１Ｈ）が終了するとともに、新たな１水平期間（１Ｈ）が開始する。
【００８４】
これ以降、上述した動作を繰り返すことにより、表示パネル１では、線順次走査により、表示面全体における表示動作が行われるとともに、以下に示すように駆動電極ブロックＢずつ走査することにより、タッチ検出面全体におけるタッチ検出動作が行われる。
【００８５】
図１６は、タッチ検出走査の動作例を表すものであり、（Ａ）は交流駆動信号ＶcomACの波形を示し、（Ｂ）は直流駆動信号ＶcomDCの波形を示し、（Ｃ）はＶcom選択信号ＶＣＯＭＳＥＬの波形を示し、（Ｄ）は走査信号Ｓｔの波形を示し、（Ｅ）は駆動信号Ｖcomの波形を示し、（Ｆ）はタッチ検出信号Ｖdetの波形を示す。なお、この図では、説明の便宜上、駆動信号Ｖcomなどの遷移時間は十分に小さいとしている。
【００８６】
駆動電極走査部１６は、図１６に示したように、タッチ検出走査部５２が生成する走査信号Ｓｔ（図１６（Ｄ））に基づいて、対応する駆動電極ブロックＢに交流駆動信号ＶcomAC（図１６（Ａ））のパルスＰｔを順次供給することにより（図１６（Ｅ））、タッチ検出走査を行う。その際、駆動電極走査部１６は、各駆動電極ブロックＢに対して、所定の複数の水平期間にわたり、このパルスＰｔを供給する。タッチ検出部４０は、各１水平期間において、このパルスＰｔに基づくタッチ検出信号Ｖdetをサンプリングし、この所定の複数の水平期間のうちの最後の水平期間におけるサンプリングが終了した後に、信号処理部４４が、これらの複数のサンプリング結果に基づいて、その駆動電極ブロックＢに対応する領域に対するタッチの有無などを検出する。このように、複数のサンプリング結果に基づいてタッチ検出を行うようにしたので、サンプリング結果を統計的に解析することが可能となり、サンプリング結果のばらつきに起因するＳ／Ｎ比の劣化を抑えることができ、タッチ検出の精度を高めることができる。
【００８７】
（補助駆動部１８の詳細動作）
次に、補助駆動部１８の動作について、詳細に説明する。
【００８８】
図１７は、表示パネル１におけるタッチ検出動作のタイミング波形例を表すものであり、（Ａ）は駆動信号生成部１５の出力部における交流駆動信号ＶcomACの波形を示し、（Ｂ）はＶcom選択信号ＶＣＯＭＳＥＬの波形を示し、（Ｃ）は制御信号ＣＴＬＨの波形を示し、（Ｄ）は制御信号ＣＴＬＬの波形を示し、（Ｅ）は容量素子ＣＨの電圧Ｖchの波形を示し、（Ｆ）は容量素子ＣＬの電圧Ｖclの波形を示し、（Ｇ）はタッチ検出動作の対象になっている駆動電極ブロックＢに供給される駆動信号Ｖcomの波形を示す。なお、図１７におけるタイミングｔ１〜ｔ４，ｔ１１は、図１５におけるタイミングｔ１〜ｔ４，ｔ１１にそれぞれ対応するものである。
【００８９】
補助駆動部１８では、交流駆動信号ＶcomACのパルスＰｔの立ち上がりおよび立ち下がりにおいて、容量素子ＣＨ，ＣＬと、タッチ検出動作の対象になっている駆動電極ブロックＢに属する駆動電極ＣＯＭＬとの間で、電荷のやりとりが行われる。以下に、その詳細を説明する。
【００９０】
まず、タイミングｔ１において、駆動電極走査部１６の走査制御部５１は、Ｖcom選択信号ＶＣＯＭＳＥＬを低レベルから高レベルに変化させる（図１７（Ｂ））。これにより、駆動電極走査部１６では、タッチ検出動作に係る駆動部５３においてスイッチＳＷ１がオン状態になり、配線ＬＡＣと、タッチ検出動作の対象となる駆動電極ブロックＢとが接続される。
【００９１】
次に、制御部１１は、パルスＰｔ（図１７（Ａ））が立ち上がるタイミングｔ２から始まる所定の期間において、制御信号ＣＴＬＨを高レベルにする（図１７（Ｃ））。これにより、補助駆動部１８のスイッチＳＷＨがオン状態になり、容量素子ＣＨからその駆動電極ブロックＢに、配線ＬＡＣを介して電荷が移動し、その駆動電極ブロックＢの電圧（図１７（Ｇ））が短い時間で立ち上がる。なお、これに伴い、容量素子ＣＨの電圧Ｖchは低下し、タイミングｔ６（後述）までそのレベルを維持する（図１７（Ｅ））。
【００９２】
次に、制御部１１は、パルスＰｔ（図１７（Ａ））が立ち下がるタイミングｔ３から始まる所定の期間において、制御信号ＣＴＬＬを高レベルにする（図１７（Ｄ））。これにより、補助駆動部１８のスイッチＳＷＬがオン状態になり、その駆動電極ブロックＢから容量素子ＣＬへ、配線ＬＡＣを介して電荷が移動し、その駆動電極ブロックＢの電圧（図１７（Ｇ））が短い時間で立ち下がる。なお、これに伴い、容量素子ＣＬの電圧Ｖclは上昇し、タイミングｔ８（後述）までそのレベルを維持する（図１７（Ｆ））。
【００９３】
次に、タイミングｔ４において、駆動電極走査部１６の走査制御部５１は、Ｖcom選択信号ＶＣＯＭＳＥＬを高レベルから低レベルに変化させる（図１７（Ｂ））。これにより、駆動電極走査部１６では、タッチ検出動作に係る駆動部５３において、スイッチＳＷ１がオフ状態になり、配線ＬＡＣとその駆動電極ブロックＢとが切り離される。
【００９４】
その後、タイミングｔ６〜ｔ１１の期間において、交流駆動信号ＶcomACのパルスＰｉを用いて、容量素子ＶＨ，ＶＬの電圧が初期化される。具体的には、まず、タイミングｔ６〜ｔ８の期間において、駆動信号生成部１５は、交流駆動信号ＶcomACを高レベル（電圧ＶＨ）にする（図１７（Ａ））。これと同時に、制御部１１は、タイミングｔ６から、パルスＰｉのパルス幅よりも短い所定の期間において、制御信号ＣＴＬＨを高レベルにする（図１７（Ｃ））。これにより、補助駆動部１８のスイッチＳＷＨがオン状態になり、駆動信号生成部１５により配線ＬＡＣを介して容量素子ＣＨが充電され、容量素子ＣＨの電圧Ｖchが電圧ＶＨに向かって変化する。その後、交流駆動信号ＶcomACが低レベル（０Ｖ）になったタイミングｔ８から始まる所定の期間において、制御部１１は、制御信号ＣＴＬＬを高レベルにする（図１７（Ｄ））。これにより、補助駆動部１８のスイッチＳＷＬがオン状態になり、容量素子ＣＬが配線ＬＡＣを介して放電され、容量素子ＣＬの電圧Ｖclが０Ｖに向かって変化する。
【００９５】
このように、表示パネル１では、交流駆動信号ＶcomACのパルスＰｔの立ち上がりにおいて、補助駆動部１８の容量素子ＣＨと、タッチ検出動作の対象になっている駆動電極ブロックＢに属する駆動電極ＣＯＭＬとの間で電荷のやりとりを行うことにより、その駆動電極ＣＯＭＬの電圧（駆動信号Ｖcom）の立ち上がり時間ｔｒを短くすることができ、同様に、パルスＰｔの立ち下がりにおいて、補助駆動部１８の容量素子ＣＬと、その駆動電極ＣＯＭＬとの間で電荷のやりとりを行うことにより、その駆動電極ＣＯＭＬの電圧（駆動信号Ｖcom）の立ち下がり時間ｔｆを短くすることができる。これにより、例えば、駆動信号生成部１５から離れた、配線ＬＡＣの末端部付近に配置された駆動電極ブロックＢに対して駆動信号Ｖcomを供給する場合でも、その駆動信号Ｖcomの遷移時間（立ち上がり時間ｔｒおよび立ち下がり時間ｔｆ）を短くすることができる。
【００９６】
このように、駆動信号Ｖcom（パルスＰｔ）の遷移時間を短くすることにより、表示パネル１では、タッチ検出の精度が低下するおそれを低減することができる。すなわち、例えば、補助駆動部１８を設けない場合には、駆動信号Ｖcomの遷移時間が増大してしまい、そのパルス波形が潰れてしまうおそれがある。この場合には、その潰れたパルス信号がタッチ検出電極ＴＤＬに伝わり、タッチ検出信号Ｖdetとして出力されるため、タッチ検出の精度が低下するおそれがある。一方、表示パネル１では、駆動信号Ｖcom（パルスＰｔ）の遷移時間を短くすることができるため、駆動信号Ｖcomの波形が潰れるおそれを低減でき、タッチ検出の精度が低下するおそれを低減することができる。
【００９７】
また、駆動信号Ｖcomの遷移時間を短くすることにより、表示パネル１の高精細化や大型化などにも対応できるようになる。具体的には、例えば、高精細の液晶表示デバイス２０を用いた場合には、水平ラインの数が多いことに伴い、１フレーム期間における、画素信号の書込期間の占める割合が多くなるため、タッチ検出動作の為の時間を確保することが難しくなる。表示パネル１では、上述したように、駆動信号Ｖcomの遷移時間を短くすることができるため、タッチ検出動作の為の時間を短くすることができ、表示パネル１の高精細化や大型化などにも対応できるようになる。
【００９８】
次に、補助駆動部１８の容量素子ＣＨ，ＣＬの容量値について説明する。
【００９９】
図１８は、容量素子ＣＨ，ＣＬの容量値と、配線ＬＡＣの末端部付近に配置された駆動電極ブロックＢにおける駆動信号Ｖcomの遷移時間（立ち上がり時間ｔｒおよび立ち下がり時間ｔｆ）との関係を表すものである。図１８では、容量素子ＣＨ，ＣＬの容量値を、各駆動電極ブロックＢの寄生容量Ｃｂを単位として表している。すなわち、表示パネル１では、駆動電極ブロックＢごとに駆動信号Ｖcomを印加してタッチ検出走査を行うことに対応して、容量素子ＣＨ，ＣＬの容量値を、各駆動電極ブロックＢの寄生容量Ｃｂを単位として表している。
【０１００】
図１８に示したように、容量素子ＣＨ，ＣＬの容量値を大きくするに従い、駆動信号Ｖcomの遷移時間は短くなり、容量値が寄生容量Ｃｂの７〜１０倍程度になると、遷移時間はほぼ飽和する。一方、容量素子ＣＨ，ＣＬの容量値を大きくする場合には、より広い配置面積が必要となる。よって、容量素子ＣＨ，ＣＬの配置面積と、遷移時間の両方を考慮して、容量素子ＣＨ，ＣＬの容量値を決定する必要がある。具体的には、この例では、容量素子ＣＨ，ＣＬの容量値を寄生容量Ｃｂの３倍程度にするのが望ましい。
【０１０１】
［効果］
以上のように本実施の形態では、補助駆動部を設けたので、駆動信号の遷移時間を短くすることができ、各駆動電極ブロックをより短い時間で駆動することができる。
【０１０２】
また、本実施の形態では、駆動信号の遷移時間を短くするようにしたので、駆動信号のパルス波形が潰れるおそれを低減でき、タッチ検出の精度の低下を抑えることができる。
【０１０３】
また、本実施の形態では、補助駆動部を駆動信号生成部と離れた位置に配置したので、駆動信号生成部から離れた駆動電極でも、駆動信号の遷移時間を短くすることができる。
【０１０４】
また、本実施の形態では、配線ＬＡＣを介して容量素子を初期化するようにしたので、容量素子を初期化するための専用の配線を設ける必要がないため、その配線のためのスペースを削減することができる。
【０１０５】
また、本実施の形態では、容量素子を、タッチ検出機能付き表示デバイスの製造プロセスにより形成するようにしたので、製造工程の追加を行う必要がないため、製造工程をシンプルにすることができる。
【０１０６】
［変形例１−１］
上記実施の形態では、容量素子ＣＨ，ＣＬの電極６１を画素電極２２と同じ層により形成し、電極６２を駆動電極ＣＯＭＬと同じ層により形成したが、これに限定されるものではなく、これに代えて、例えば、図１９（Ａ），（Ｂ）に示すように形成してもよい。以下、容量素子ＣＨを例に説明する。
【０１０７】
図１９（Ａ）に示した構成では、容量素子ＣＨは、電極６７，６８と、電極６７，６８の間に挿設された絶縁層６９とにより構成されている。電極６７は、走査信号線ＧＣＬ（図７）と同じ層により形成されるものであり、例えばアルミニウムにより構成される。電極６８は、ＴＦＴ基板２１上に、ＴＦＴ素子Ｔｒのゲート電極と同じ層により形成されるものであり、例えばモリブデンにより構成される。電極６７は、複数のコンタクトＣＯＮＴ２を介して配線層６５に接続される。なお、この例では、電極６７（配線層６５）はスイッチＳＷＨの一端に接続され、電極６８は接地される。容量素子ＣＬの場合には、電極６７（配線層６５）はスイッチＳＷＬの一端に接続され、電極６８は接地される。
【０１０８】
図１９（Ｂ）に示した構成は、上記実施の形態の構成（図１４）と、図１９（Ａ）の構成を組み合わせたものである。すなわち、この構成は、電極６１，６２および絶縁層６３により構成される容量と、電極６７，６８および絶縁層６９により構成される容量とを重ね合わせたものである。この例では、電極６２，６７（配線層６５）はスイッチＳＷＨの一端に接続され、電極６１，６８は接地される。容量素子ＣＬの場合には、電極６２，６７（配線層６５）はスイッチＳＷＬの一端に接続され、電極６１，６８は接地される。
【０１０９】
このように、図１９（Ａ），（Ｂ）のいずれの構成により容量素子ＣＨ，ＣＬを構成しても、製造工程の追加を行うことなく、タッチ検出機能付き表示デバイス１０と同時に形成することができる。
【０１１０】
［変形例１−２］
上記実施の形態では、制御部１１は、図１７に示したように、交流駆動信号ＶcomACが低レベルから高レベルに変化するタイミングｔ２において、制御信号ＣＴＬＨを低レベルから高レベルに変化させ、交流駆動信号ＶcomACが高レベルから低レベルに変化するタイミングｔ３において、制御信号ＣＴＬＬを低レベルから高レベルに変化させたが、これに限定するものではなく、これに代えて、例えば、図２０に示したように、タイミングｔ２よりも前に制御信号ＣＴＬＨを低レベルから高レベルに変化させ、タイミングｔ３よりも前に制御信号ＣＴＬＬを低レベルから高レベルに変化させてもよい。
【０１１１】
＜３．第２の実施の形態＞
次に、第２の実施の形態に係る表示パネル７について説明する。本実施の形態は、補助駆動部の容量素子ＣＨ，ＣＬを、専用の配線を介して初期化するように構成したものである。なお、上記第１の実施の形態に係る表示パネル１と実質的に同一の構成部分には同一の符号を付し、適宜説明を省略する。
【０１１２】
図２１は、本実施の形態に係る表示パネル７の一構成例を表すものである。表示パネル７は、駆動信号生成部７５と、補助駆動部７８と、制御部７１とを備えている。
【０１１３】
駆動信号生成部７５は、直流駆動信号ＶcomDC、交流駆動信号ＶcomAC2、および直流信号Ｖch1，Ｖcl1を生成するものである。交流駆動信号ＶcomAC2は、低レベル電圧が０Ｖであり、高レベル電圧がＶＨであるパルスＰｔを含む信号である。すなわち、交流駆動信号ＶcomAC2は、上記実施の形態に係る交流駆動信号ＶcomACとは異なり、パルスＰｉを含まない信号である。直流信号Ｖch1の電圧は、この例では電圧ＶＨであり、直流信号Ｖcl1の電圧は、この例では０Ｖである。すなわち、この例では、直流信号Ｖch1の電圧は、交流駆動信号ＶcomAC2の高レベル電圧と同じであり、直流信号Ｖcl1の電圧は、交流駆動信号ＶcomAC2の低レベル電圧と同じである。駆動信号生成部７５は、直流信号Ｖch1を専用の配線ＬＨを介して補助駆動部７８に供給し、直流信号Ｖcl1を専用の配線ＬＬを介して補助駆動部７８に供給する。
【０１１４】
補助駆動部７８は、上記第１の実施の形態に係る補助駆動部１８と同様に、駆動信号生成部７５による駆動動作を補助するものである。その際、補助駆動部７８は、駆動信号生成部７５から配線ＬＨ，ＬＬを介して供給された直流信号Ｖch1，Ｖcl1を用いて、容量素子ＣＨ，ＣＬの初期化を行うようになっている。制御部７１は、補助駆動部７８に対して、制御信号ＣＴＬ２（ＣＴＬＨ２，ＣＴＬＬ２）を供給するものである。
【０１１５】
図２２は、補助駆動部７８の一構成例を表すものである。補助駆動部７８では、容量素子ＣＨの一端は、スイッチＳＷＨの一端に接続されるとともに配線ＬＨに接続されている。同様に、容量素子ＣＬの一端は、スイッチＳＷＬの一端に接続されるとともに配線ＬＬに接続されている。
【０１１６】
図２３は、表示パネル７におけるタッチ検出動作のタイミング波形例を表すものであり、（Ａ）は駆動信号生成部７５の出力部における交流駆動信号ＶcomAC2の波形を示し、（Ｂ）はＶcom選択信号ＶＣＯＭＳＥＬの波形を示し、（Ｃ）は制御信号ＣＴＬＨ２の波形を示し、（Ｄ）は制御信号ＣＴＬＬ２の波形を示し、（Ｅ）は容量素子ＣＨの電圧Ｖchの波形を示し、（Ｆ）は容量素子ＣＬの電圧Ｖclの波形を示し、（Ｇ）はタッチ検出動作の対象になっている駆動電極ブロックＢに供給される駆動信号Ｖcomの波形を示す。
【０１１７】
補助駆動部７８では、容量素子ＣＨには、配線ＬＨを介して定常的に直流信号Ｖch1（電圧ＶＨ）が供給され、容量素子ＣＬには、配線ＬＬを介して定常的に直流信号Ｖcl1（０Ｖ）が供給される。よって、容量素子ＣＨの電圧Ｖchは、図２３（Ｅ）に示したように、制御信号ＣＴＬＨ２が高レベルから低レベルに変化してスイッチＳＷＨがオフ状態になると、電圧ＶＨに向かって変化し、容量素子ＣＬの電圧Ｖclは、図２３（Ｆ）に示したように、制御信号ＣＴＬＬ２が高レベルから低レベルに変化してスイッチＳＷＬがオフ状態になると、０Ｖに向かって変化する。
【０１１８】
このように、表示パネル７では、容量素子ＣＨ，ＣＬに定常的に直流信号Ｖch1，Ｖcl1を供給することにより、容量素子ＣＨ，ＣＬを初期化するようにしたので、回路動作をシンプルにすることができる。すなわち、上記第１の実施の形態では、駆動信号生成部１５がパルスＰｉを生成し、補助駆動部１８は、このパルスＰｉおよび制御部１１から供給された制御信号ＣＴＬに基づいて容量素子ＣＨ，ＣＬの初期化を行ったが、本実施の形態では、定常的に供給される直流信号Ｖch1，Ｖcl1に基づいて容量素子ＣＨ，ＣＬの初期化を行うようにしたので、初期化のための回路動作をシンプルにすることができる。
【０１１９】
以上のように本実施の形態では、容量素子に定常的に直流信号を供給するようにしたので、容量素子を初期化するための回路動作をシンプルにすることができる。その他の効果は、上記第１の実施の形態の場合と同様である。
【０１２０】
［変形例２−１］
上記実施の形態に係る表示パネル７に、上記第１の実施の形態の変形例１−１，１−２を適用してもよい。
【０１２１】
［変形例２−２］
上記実施の形態では、直流信号Ｖch1の電圧を交流駆動信号ＶcomAC2の高レベル電圧（電圧ＶＨ）と同じにし、直流信号Ｖcl1の電圧を交流駆動信号ＶcomAC2の低レベル電圧（０Ｖ）と同じにしたが、これに限定されるものではなく、これらの電圧は任意に設定可能である。具体的には、例えば、直流信号Ｖch1の電圧を電圧ＶＨよりも高い電圧に設定し、直流信号Ｖcl1の電圧を０Ｖよりも低い電圧に設定してもよい。
【０１２２】
＜４．第３の実施の形態＞
次に、第３の実施の形態に係る表示パネル８について説明する。本実施の形態は、第２の実施の形態に係る補助駆動部７８において、配線ＬＨと容量素子ＣＨとの間にスイッチを設け、同様に、配線ＬＬと容量素子ＣＬとの間にスイッチを設けたものである。なお、上記第２の実施の形態に係る表示パネル７と実質的に同一の構成部分には同一の符号を付し、適宜説明を省略する。
【０１２３】
表示パネル８は、図２１に示したように、補助駆動部８８を備えている。また、この例では、駆動信号生成部７５が生成する直流信号Ｖch1の電圧は、電圧ＶＨよりも高い電圧ＶＨ２であり、直流信号Ｖcl1の電圧は、０Ｖよりも低い電圧ＶＬ２である。
【０１２４】
図２４は、本実施の形態に係る補助駆動部８８の一構成例を表すものである。補助駆動部８８は、インバータＩＶＨ，ＩＶＬと、スイッチＳＷＨ２，ＳＷＬ２とを備えている。インバータＩＶＨは、制御信号ＣＴＬＨ２の反転論理を生成して出力するものである。スイッチＳＷＨ２は、インバータＩＶＨの出力信号に基づいてオンオフ制御されるものであり、一端が容量素子ＣＨの一端に接続され、他端は配線ＬＨに接続されている。インバータＩＶＬは、制御信号ＣＴＬＬ２の反転論理を生成して出力するものである。スイッチＳＷＬ２は、インバータＩＶＬの出力信号に基づいてオンオフ制御されるものであり、一端が容量素子ＣＬの一端に接続され、他端は配線ＬＬに接続されている。
【０１２５】
この構成により、補助駆動部８８では、容量素子ＣＨの一端は、制御信号ＣＴＬＨ２が高レベルである場合には配線ＬＡＣと接続され、制御信号ＣＴＬＨ２が低レベルである場合には配線ＬＨと接続される。同様に、容量素子ＣＬの一端は、制御信号ＣＴＬＬ２が高レベルである場合には配線ＬＡＣと接続され、制御信号ＣＴＬＬ２が低レベルである場合には配線ＬＬと接続される。
【０１２６】
ここで、スイッチＳＷＨ２，ＳＷＬ２は、本開示における「電圧供給スイッチ」の一具体例に対応する。
【０１２７】
図２５は、表示パネル８におけるタッチ検出動作のタイミング波形例を表すものであり、（Ａ）は駆動信号生成部７５の出力部における交流駆動信号ＶcomAC2の波形を示し、（Ｂ）はＶcom選択信号ＶＣＯＭＳＥＬの波形を示し、（Ｃ）は制御信号ＣＴＬＨ２の波形を示し、（Ｄ）は制御信号ＣＴＬＬ２の波形を示し、（Ｅ）は容量素子ＣＨの電圧Ｖchの波形を示し、（Ｆ）は容量素子ＣＬの電圧Ｖclの波形を示し、（Ｇ）はタッチ検出動作の対象になっている駆動電極ブロックＢに供給される駆動信号Ｖcomの波形を示す。
【０１２８】
補助駆動部８８では、制御信号ＣＴＬＨ２が低レベルになる期間では、スイッチＳＷＨ２がオン状態になり、容量素子ＣＨの電圧Ｖchが電圧ＶＨ２になるように初期化される（図２５（Ｅ））。また、制御信号ＣＴＬＨ２が高レベルになる期間では、上記第２の実施の形態等の場合と同様に、スイッチＳＷＨがオン状態になり、容量素子ＣＨと駆動電極ブロックＢとの間で電荷のやりとりが行われる。同様に、補助駆動部８８では、制御信号ＣＴＬＬ２が低レベルになる期間では、スイッチＳＷＬ２がオン状態になり、容量素子ＣＬの電圧Ｖclが電圧ＶＬ２になるように初期化される（図２５（Ｆ））。また、制御信号ＣＴＬＬ２が高レベルになる期間では、スイッチＳＷＬがオン状態になり、容量素子ＣＬと駆動電極ブロックＢとの間で電荷のやりとりが行われる。すなわち、表示パネル８では、制御信号ＣＴＬＨ２，ＣＴＬＬ２が高レベルになったときに、いわゆるオーバードライブにより、駆動電極ＣＯＭＬの電圧（駆動信号Ｖcom）の電圧が短い時間で変化するように動作する。
【０１２９】
表示パネル８では、このオーバードライブの効果を得るために、駆動信号生成部７５が、電圧ＶＨよりも高い電圧ＶＨ２を生成して、直流信号Ｖch1として補助駆動部８８に対して供給するとともに、０Ｖよりも低い電圧ＶＬ２を生成して、直流信号Ｖcl1として補助駆動部８８に対して供給している。そして、補助駆動部８８では、スイッチＳＷＨ，ＳＷＨ２が相補的に動作し、スイッチＳＷＬ，ＳＷＬ２が相補的に動作する。これにより、表示パネル８では、配線ＬＡＣと配線ＬＨが直接接続されることがなく、また配線ＬＡＣと配線ＬＬが直接接続されることがないため、回路動作が不安定になるおそれを低減することができる。
【０１３０】
以上のように本実施の形態では、スイッチＳＷＨと相補的に動作するスイッチＳＷＨ２を設けるとともに、スイッチＳＷＬと相補的に動作するスイッチＳＷＬ２を設けたので、回路動作が不安定になるおそれを低減することができる。その他の効果は、上記第２の実施の形態の場合と同様である。
【０１３１】
［変形例３−１］
上記実施の形態では、直流信号Ｖch1の電圧を電圧ＶＨより高い電圧ＶＨ２にし、直流信号Ｖcl1の電圧を０Ｖより低電圧ＶＬ２にしたが、これに限定されるものではなく、これに代えて、例えば、直流信号Ｖch1の電圧を電圧ＶＨにし、直流信号Ｖcl1の電圧を０Ｖにしてもよい。
【０１３２】
＜５．適用例＞
次に、上記実施の形態および変形例で説明した表示パネルの適用例について説明する。
【０１３３】
図２６は、上記実施の形態等の表示パネルが適用されるテレビジョン装置の外観を表すものである。このテレビジョン装置は、例えば、フロントパネル５１１およびフィルターガラス５１２を含む映像表示画面部５１０を有しており、この映像表示画面部５１０は、上記実施の形態等に係る表示パネルにより構成されている。
【０１３４】
上記実施の形態等の表示パネルは、このようなテレビジョン装置の他、デジタルカメラ、ノート型パーソナルコンピュータ、携帯電話等の携帯端末装置、携帯型ゲーム機、あるいはビデオカメラなどのあらゆる分野の電子機器に適用することが可能である。言い換えると、上記実施の形態等の表示パネルは、映像を表示するあらゆる分野の電子機器に適用することが可能である。
【０１３５】
以上、いくつかの実施の形態および変形例、ならびに電子機器への適用例を挙げて本技術を説明したが、本技術はこれらの実施の形態等には限定されず、種々の変形が可能である。
【０１３６】
例えば、上記実施の形態等では、補助駆動部１８，７８，８８のそれぞれにおいて、容量素子ＣＨに係る構成と、容量素子ＣＬに係る構成とを互いに等しくしたが、これに限定されるものではない。その一例を、以下に詳細に説明する。
【０１３７】
図２７は、本変形例に係る表示パネル７Ｂの一構成例を表すものである。表示パネル７Ｂは、駆動信号生成部７５Ｂと、補助駆動部７８Ｂと、制御部７１Ｂとを備えている。駆動信号生成部７５Ｂは、直流駆動信号ＶcomDC、交流駆動信号ＶcomAC2、および直流信号Ｖch1を生成するものである。すなわち、駆動信号生成部７５Ｂは、上記第２の実施の形態に係る駆動信号生成部７５は異なり、電圧Ｖcl1を生成しないものである。補助駆動部７８Ｂは、上記第２の実施の形態に係る補助駆動部７８と同様に、駆動信号生成部７５Ｂによる駆動動作を補助するものである。その際、補助駆動部７８Ｂは、駆動信号生成部７５Ｂから供給された直流信号Ｖch1を用いて、容量素子ＣＨの初期化を行うものである。制御部７１Ｂは、補助駆動部７８Ｂに対して、制御信号ＣＴＬＨ２，ＣＴＬＬを供給するものである。
【０１３８】
図２８は、補助駆動部７８Ｂの一構成例を表すものである。補助駆動部７８Ｂでは、容量素子ＣＨの一端は、スイッチＳＷＨの一端に接続されるとともに配線ＬＨに接続されている。一方、容量素子ＣＬの一端は、スイッチＳＷＬの一端にのみ接続されている。すなわち、補助駆動部７８Ｂでは、容量素子ＣＨに係る構成と、容量素子ＣＬに係る構成とが異なっている。具体的には、補助駆動部７８Ｂは、上記第２の実施の形態に係る補助駆動部７８における容量素子ＣＨに係る構成（図２２）と、補助駆動部１８における容量素子ＣＬに係る構成（図１３）を組み合わせたものである。
【０１３９】
図２９は、本変形例に係る表示パネルにおけるタッチ検出動作のタイミング波形例を表すものであり、（Ａ）は駆動信号生成部７５Ｂの出力部における交流駆動信号ＶcomAC2の波形を示し、（Ｂ）はＶcom選択信号ＶＣＯＭＳＥＬの波形を示し、（Ｃ）は制御信号ＣＴＬＨ２の波形を示し、（Ｄ）は制御信号ＣＴＬＬの波形を示し、（Ｅ）は容量素子ＣＨの電圧Ｖchの波形を示し、（Ｆ）は容量素子ＣＬの電圧Ｖclの波形を示し、（Ｇ）はタッチ検出動作の対象になっている駆動電極ブロックＢに供給される駆動信号Ｖcomの波形を示す。補助駆動部７８Ｂでは、容量素子ＣＨは、上記第２の実施の形態に係る補助駆動部７８と同様に、配線ＬＨを介して定常的に直流信号Ｖch1（電圧ＶＨ）が供給されることにより初期化が行われ、容量素子ＣＬは、上記第１の実施の形態に係る補助駆動部１８と同様に、タイミングｔ８から始まる所定の期間において、配線ＬＡＣを介して０Ｖが供給されることにより初期化が行われる。
【０１４０】
このように構成することにより、第２の実施の形態に係る表示パネル７に比べて、配線ＬＬのためのスペースを削減することができるとともに、第１の実施の形態に係る表示パネル１に比べて、容量素子ＣＨ，ＣＬを初期化するための回路動作をシンプルにすることができる。
【０１４１】
また、例えば、上記実施の形態等では、図６に示したように、ＴＦＴ基板２１の上に駆動電極ＣＯＭＬを形成し、その上に絶縁膜２３を介して画素電極２２を形成したが、これに限定されるものではなく、これに代えて、例えば、ＴＦＴ基板２１の上に画素電極２２を形成し、その上に絶縁膜２３を介して駆動電極ＣＯＭＬを形成してもよい。
【０１４２】
また、例えば、上記実施の形態等では、ＦＦＳやＩＰＳ等の横電界モードの液晶を用いた液晶表示デバイスとタッチ検出デバイスとを一体化したが、これに代えて、ＴＮ（ツイステッドネマティック）、ＶＡ（垂直配向）、ＥＣＢ（電界制御複屈折）等の各種モードの液晶を用いた液晶表示デバイスとタッチ検出デバイスとを一体化してもよい。このような液晶を用いた場合には、タッチ検出機能付き表示デバイスを、図３０に示したように構成可能である。図３５は、本変形例に係るタッチ検出機能付き表示デバイス１０Ｄの要部断面構造の一例を表すものであり、画素基板２Ｂと対向基板３Ｂとの間に液晶層６Ｂを挟持された状態を示している。その他の各部の名称や機能等は図６の場合と同様なので、説明を省略する。この例では、図６の場合とは異なり、表示用とタッチ検出用の双方に兼用される駆動電極ＣＯＭＬは、対向基板３Ｂに形成されている。
【０１４３】
また、例えば、上記各実施の形態では、液晶表示デバイスと静電容量式のタッチ検出デバイスとを一体化したいわゆるインセルタイプとしたが、これに限定されるものではなく、これに代えて、例えば液晶表示デバイスの表面に静電容量式のタッチ検出デバイスを形成した、いわゆるオンセルタイプであってもよい。オンセルタイプでは、例えば、液晶表示デバイスから、タッチ検出デバイスに表示駆動のノイズが伝搬する場合には、上記実施の形態のように駆動することにより、そのノイズを低減することができるため、タッチ検出精度の低下を抑えることができる。
【０１４４】
また、例えば、上記各実施の形態では、表示素子は液晶素子としたが、これに限定されるものではなく、これに代えて、例えばＥＬ（Electro Luminescence）素子であってもよい。
【０１４５】
なお、本技術は以下のような構成とすることができる。
【０１４６】
（１）表示素子と、
複数の駆動電極と、
各駆動電極との間に静電容量を形成する１または複数のタッチ検出電極と、
前記駆動電極に供給されるパルス部分を含む基本駆動信号を生成する主駆動部と、
容量素子を有し、前記パルス部分に同期して前記容量素子と前記駆動電極との間で電荷のやりとりを行う第１の補助駆動部と
を備えた表示パネル。
【０１４７】
（２）前記第１の補助駆動部は、前記容量素子と前記駆動電極との間の電荷のやりとりを制御する第１のスイッチをさらに有し、
前記パルス部分は、２つの電圧レベルの間で遷移するものであり、
前記第１のスイッチは、前記パルス部分における立ち上がりまたは立ち下がりに対応するタイミングでオン状態になる
前記（１）に記載の表示パネル。
【０１４８】
（３）前記パルス部分は、第１レベルの電圧から第２レベルの電圧に遷移し、
前記容量素子は、前記第１のスイッチがオフ状態である期間において、前記第２レベルの電圧に対応して予め定められた第３レベルの電圧になるように設定される
前記（２）に記載の表示パネル。
【０１４９】
（４）前記基本駆動信号は、前記パルス部分が現れる期間とは異なる期間において前記第３レベルの電圧に保たれる直流部分を含み、
前記第１のスイッチは、前記基本駆動信号に前記直流部分が現れる期間にもオン状態になる
前記（３）に記載の表示パネル。
【０１５０】
（５）前記第３レベルの電圧を生成して前記容量素子に供給する電圧供給部をさらに有する
前記（３）に記載の表示パネル。
【０１５１】
（６）前記第３レベルの電圧を生成する電圧生成部をさらに有し、
前記第１の補助駆動部は、前記電圧生成部が生成した前記第３レベルの電圧の前記容量素子への供給を制御する電圧供給スイッチをさらに有する
前記（３）に記載の表示パネル。
【０１５２】
（７）前記電圧供給スイッチは、前記第１のスイッチがオフ状態である期間においてオン状態になる
前記（６）に記載の表示パネル。
【０１５３】
（８）前記第３レベルの電圧は、前記第２レベルの電圧と同じ電圧レベルである
前記（３）から（７）のいずれかに記載の表示パネル。
【０１５４】
（９）前記第３レベルの電圧は、
前記第２レベルの電圧が前記第１レベルの電圧よりも大きい場合には、前記第２レベルの電圧よりも大きく、
前記第２レベルの電圧が前記第１レベルの電圧よりも小さい場合には、前記第２レベルの電圧よりも小さい
前記（３）から（７）のいずれかに記載の表示パネル。
【０１５５】
（１０）前記第１のスイッチは、前記パルス部分における立ち上がりと同時もしくはその直前、または立ち下がりと同時もしくはその直前でオン状態になる
前記（２）から（９）のいずれかに記載の表示パネル。
【０１５６】
（１１）前記複数の駆動電極は、所定の方向に延伸するようにそれぞれ形成されるとともに、前記所定の方向と直交する方向に配列され、
前記主駆動部は、前記複数の駆動電極のうち、一方の最端位置に配置された駆動電極の近傍に配置され、
前記第１の補助駆動部は、他方の最端位置に配置された駆動電極の近傍に配置されている
前記（１）から（１０）のいずれかに記載の表示パネル。
【０１５７】
（１２）前記基本駆動信号のうちのパルス部分を、前記複数の駆動電極に対して、所定数の駆動電極ずつ切り換えて供給する走査部をさらに備え、
前記容量素子の容量値は、前記所定数の駆動電極の容量値の１０倍以下である
前記（１）から（１１）のいずれかに記載の表示パネル。
【０１５８】
（１３）容量素子と、その容量素子と前記駆動電極との間の電荷のやりとりを制御する第２のスイッチとを有する第２の補助駆動部をさらに備え、
前記第２のスイッチは、前記パルス部分の立ち上がりタイミングおよび立ち下がりタイミングのうち、前記第１のスイッチがオンになるタイミングとは逆のタイミングでオン状態になる
前記（１）から（１２）のいずれかに記載の表示パネル。
【０１５９】
（１４）前記表示素子は、
液晶層と、
前記液晶層と前記駆動電極との間に形成され、もしくは前記駆動電極を挟んで前記液晶層と対向するように配置された画素電極と
を含む
前記（１）から（１３）のいずれかに記載の表示パネル。
【０１６０】
（１５）前記容量素子は、前記駆動電極と同層の電極と、前記画素電極と同層の電極とを含む
前記（１４）に記載の表示パネル。
【０１６１】
（１６）前記表示素子は、さらに画素トランジスタを含み、
前記容量素子は、前記画素トランジスタのゲート電極と同層の電極を含む
前記（１４）または（１５）に記載の表示パネル。
【０１６２】
（１７）前記表示素子は、
液晶層と、
前記液晶層を挟んで前記駆動電極と対向するように配置された画素電極と
を含む
前記（１）から（１３）のいずれかに記載の表示パネル。
【０１６３】
（１８）容量素子を有し、基本駆動信号のうちの、駆動電極に供給されるパルス部分に同期して、前記容量素子と前記駆動電極との間で電荷のやりとりを行う
駆動回路。
【０１６４】
（１９）駆動電極に基本駆動信号のパルス部分を供給するとともに、前記パルス部分に同期して、容量素子と前記駆動電極との間で電荷のやりとりを行う
駆動方法。
【０１６５】
（２０）表示パネルと、
前記表示パネルを利用した動作制御を行う制御部と
を備え、
前記表示パネルは、
表示素子と、
複数の駆動電極と、
各駆動電極との間に静電容量を形成する１または複数のタッチ検出電極と、
前記駆動電極に供給されるパルス部分を含む基本駆動信号を生成する主駆動部と、
容量素子を有し、前記パルス部分に同期して、前記容量素子と駆動電極との間で電荷のやりとりを行う第１の補助駆動部と
を有する
電子機器。
【符号の説明】
【０１６６】
１，７，８…表示パネル、２…画素基板、３…対向基板、６…液晶層、１０…タッチ検出機能付き表示デバイス、１１，７１，７１Ｂ…制御部、１２，１２Ａ，１２Ｂ…ゲートドライバ、１３…ソースドライバ、１４…選択スイッチ部、１５，７５，７５Ｂ…駆動信号生成部、１６，１６Ａ，１６Ｂ…駆動電極走査部、１７…スイッチグループ、１８，１８Ａ，１８Ｂ，７８，７８Ｂ，８８…補助駆動部、２０…液晶表示デバイス、２１…ＴＦＴ基板、２２…画素電極、２３…絶縁層、３０…タッチ検出デバイス、３１…ガラス基板、３２…カラーフィルタ、３５…偏光板、４０…タッチ検出部、４２…ＬＰＦ部、４３…Ａ／Ｄ変換部、４４…信号処理部、４５…座標抽出部、４６…検出タイミング制御部、５１…走査制御部、５２…タッチ検出走査部、５３，５３０…駆動部、５４…論理積回路、５５，ＩＶＨ，ＩＶＬ…インバータ、５６，５７…バッファ、６１，６２，６７，６８…電極、６３，６４，６６，６９…絶縁層、６５…配線層、Ｂ…駆動電極ブロック、ＣＨ，ＣＬ…容量素子、ＣＯＭＬ…駆動信号、ＣＯＮＴ，ＣＯＮＴ２…コンタクト、ＣＴＬＨ，ＣＴＬＨ２，ＣＴＬＬ，ＣＴＬＬ２，ＣＴＬ，ＣＴＬ２…制御信号、ＧＣＬ…走査信号線、ＬＡＣ，ＬＤＣ，ＬＨ，ＬＨ…配線、ＬＣ…液晶素子、Ｏut…出力信号、Ｐix…画素、Ｐｔ，Ｐｉ…パルス、Ｓcand…表示走査、Ｓcant…タッチ検出走査、ＳＧＬ…画素信号線、ＳＰix…サブ画素、Ｓｔ…信号、ＳＷＢ，ＳＷＧ，ＳＷＲ，ＳＷＨ，ＳＷＨ２，ＳＷＬ，ＳＷＬ２，ＳＷ１，ＳＷ２…スイッチ、ＴＤＬ…タッチ検出電極、Ｔｒ…ＴＦＴ素子、Ｖch，Ｖcl，ＶＨ，ＶＨ２，ＶＬ２…電圧、Ｖch1，Ｖcl1…直流信号、Ｖcom…駆動信号、ＶcomAC，ＶcomAC2…交流駆動信号、ＶcomDC…直流駆動信号、ＶＣＯＭＳＥＬ…Ｖcom選択信号、Ｖdet…タッチ検出信号、Ｖdisp…映像信号、Ｖpix，Ｖsig…画素信号、Ｖscan…走査信号、Ｖsel，ＶselR，ＶselG，ＶselB…スイッチ制御信号。
【図１】
0005840510.tif 000002
【図２】
0005840510.tif 000003
【図３】
0005840510.tif 000004
【図４】
0005840510.tif 000005
【図５】
0005840510.tif 000006
【図６】
0005840510.tif 000007
【図７】
0005840510.tif 000008
【図８】
0005840510.tif 000009
【図９】
0005840510.tif 000010
【図１０】
0005840510.tif 000011
【図１１】
0005840510.tif 000012
【図１２】
0005840510.tif 000013
【図１３】
0005840510.tif 000014
【図１４】
0005840510.tif 000015
【図１５】
0005840510.tif 000016
【図１６】
0005840510.tif 000017
【図１７】
0005840510.tif 000018
【図１８】
0005840510.tif 000019
【図１９】
0005840510.tif 000020
【図２０】
0005840510.tif 000021
【図２１】
0005840510.tif 000022
【図２２】
0005840510.tif 000023
【図２３】
0005840510.tif 000024
【図２４】
0005840510.tif 000025
【図２５】
0005840510.tif 000026
【図２６】
0005840510.tif 000027
【図２７】
0005840510.tif 000028
【図２８】
0005840510.tif 000029
【図２９】
0005840510.tif 000030
【図３０】
0005840510.tif 000031